(57)【要約】【課題】凹凸を形成された３次元の立体文字を備え、当該凹凸にそれぞれでっぱり部分には陰影をつけて、あるいは遠近線を遠くに見えるように描き、へこみの部分は明るくして、あるいは遠近線を近くに見えるように描くことにより、見る角度によって立体文字が立体感をさまざまに変化させるようにした錯視立体文字を用いた広告類を提供し、よりその用途を拡張することができるようにする。【解決手段】ローマ字、カナ、漢字その他の文字からなる言語を凸凹を形成された３次元の立体文字とし、当該凸凹のそれぞれ出っ張り部分には陰影をつけ、あるいは遠近線を遠くに見えるように描き、凹みの部分は明るく、あるいは遠近線を近くに見えるように描き、あるいは内面の照明により凹みの部分は明るくして出っ張り部分を暗くすることより、立体構造を奥行反転を利用して正確に把握し難い物体になるようにしたことを特徴とする錯視立体文字を用いた広告類。【選択図】        図１
2014081550.tif 000002
【特許請求の範囲】
【請求項１】
ローマ字、カナ、漢字その他の文字からなる言語を凸凹を形成された３次元の立体文字とし、当該凸凹のそれぞれ出っ張り部分には陰影をつけ、あるいは遠近線を遠くに見えるように描き、凹みの部分は明るく、あるいは遠近線を近くに見えるように描き、あるいは内面の照明により凹みの部分は明るくして出っ張り部分を暗くすることより、立体構造を奥行反転を利用して正確に把握し難い物体になるようにしたことを特徴とする錯視立体文字を用いた広告類。
【請求項２】
前記凹凸を形成された３次元の立体文字が、Ｖ字状構造体に描かれており、かつ１文字ずつあるいは２文字以上を１単位として表示されるようにしたことを特徴とする請求項１に記載の錯視立体文字を用いた広告類。
【請求項３】
前記凹凸を形成された３次元の立体文字が、背景の上に配置されたＶ字状構造体に描かれており、背景と一体化して表示されるようにしたことを特徴とする請求項１に記載の錯視立体文字を用いた広告類。
【請求項４】
前記凹凸を形成された３次元の立体文字が、屋号や店名、会社名類からなる看板ないし文字表示として使用されることを特徴とする請求項１に記載の錯視立体文字を用いた広告類。
【発明の詳細な説明】
【技術分野】
【０００１】
この発明は、３次元の立体に構造物に陰影や遠近線等の遠近感を表現する情報を書き込むことにより、見るものに視覚上の錯覚を起こさせるようにして、屋号や店名、会社名類からなる看板ないし文字表示として使用することを可能とした錯視立体文字を用いた広告類に関するものである。
【背景技術】
【０００２】
従来、美術やグラフィックデザインの分野では、遠近法や陰影法に基づいて描画が行なわれ、室内装飾その他の用途に使用されている。例えば、特開平１０−１１６０４９号公報（特許文献１参照）、特開平１０−２３６０９９号公報（特許文献２参照）、あるいは特開平１１−１０５４９８号公報（特許文献３参照）には、それぞれ「パーティー会場等構築方法」、「壁画で構成される美術館の構築方法」、並びに「だまし絵付き調度品並びに装飾品並びに構築物」について示されている。
【０００３】
また本発明者は先に特願２０００−１１７７６３号（特開２００１−３０１３９８号公報、特許文献４参照）において、凹凸を形成された３次元の立体構造物を備え、当該凹凸にそれぞれでっぱり部分には陰影をつけて、あるいは遠近線を遠くに見えるように描き、へこみの部分は明るくして、あるいは遠近線を近くに見えるように描くことにより、見る角度によって立体構造物が立体感をさまざまに変化させるようにした逆遠近感を利用した錯視立体図形を提案した。
【先行技術文献】
【特許文献】
【０００４】
【特許文献１】特開平１０−１１６０４９号公報
【特許文献２】特開平１０−２３６０９９号公報
【特許文献３】特開平１１−１０５４９８号公報
【特許文献４】特願２０００−１１７７６３号（特開２００１−３０１３９８号公報）
【発明の概要】
【発明が解決しようとする課題】
【０００５】
しかしながら、上記遠近法や陰影法に基づいて描画が行なわれ、室内装飾その他の用途に使用されている従来例においては、基本的にだまし絵という平面的な絵画作品である。したがって、確かに錯覚を用いて立体的な奥行きを感じさせるものではあるが、いったんその種が明かされると興味はそこでほとんど消えてしまうという欠点があった。
【０００６】
また本発明者が先に特願２０００−１１７７６３号（特開２００１−３０１３９８号公報、特許文献４参照）において提案した逆遠近感を利用した錯視立体図形は、凹凸を形成された３次元の立体構造物を備え、当該凹凸にそれぞれでっぱり部分には陰影をつけて、あるいは遠近線を遠くに見えるように描き、へこみの部分は明るくして、あるいは遠近線を近くに見えるように描くことにより、見る角度によって立体構造物が立体感をさまざまに変化させるようにしたものであるが、それによって立体感は高められるものの、折り紙の域を出るものではなく、やはり基本的にだまし絵という平面的な絵画作品であって、充分な産業上の利用可能性を開示したものではなかった。
【０００７】
この発明は従来例の以上の欠点を解消しようとするもので、凹凸を形成された３次元の立体文字を備え、当該凹凸にそれぞれでっぱり部分には陰影をつけて、あるいは遠近線を遠くに見えるように描き、へこみの部分は明るくして、あるいは遠近線を近くに見えるように描くことにより、見る角度によって立体文字が立体感をさまざまに変化させるようにした錯視立体文字を用いた広告類を提供し、よりその用途を拡張することができるようにするものである。
【課題を解決するための手段】
【０００８】
すなわちこの発明の錯視立体文字を用いた広告類は、ローマ字、カナ、漢字その他の文字からなる言語を凸凹を形成された３次元の立体文字とし、当該凸凹のそれぞれ出っ張り部分には陰影をつけ、あるいは遠近線を遠くに見えるように描き、凹みの部分は明るく、あるいは遠近線を近くに見えるように描き、あるいは内面の照明により凹みの部分は明るくして出っ張り部分を暗くすることより、立体構造を奥行反転を利用して正確に把握し難い物体になるようにしたことを特徴とするものである。
【０００９】
この発明の錯視立体文字を用いた広告類において、前記凹凸を形成された３次元の立体文字が、Ｖ字状構造体に描かれており、かつ１文字ずつあるいは２文字以上を１単位として表示されるようにしたことをも特徴とするものである。
【００１０】
この発明の錯視立体文字を用いた広告類において、前記凹凸を形成された３次元の立体文字が、背景の上に配置されたＶ字状構造体に描かれており、背景と一体化して表示されるようにしたことをも特徴とするものである。
【００１１】
この発明の錯視立体文字を用いた広告類において、前記凹凸を形成された３次元の立体文字が、屋号や店名、会社名類からなる看板ないし文字表示として使用されることをも特徴とするものである。
【発明の効果】
【００１２】
この発明によれば、凹凸を形成された３次元の立体文字を備え、当該凹凸にそれぞれでっぱり部分には陰影をつけて、あるいは遠近線を遠くに見えるように描き、へこみの部分は明るくして、あるいは遠近線を近くに見えるように描くことにより、見る角度によって立体文字の立体感を通常には見られない変化を行わせるようにして、屋号や店名、会社名類からなる看板ないし文字表示として使用することを可能とした錯視立体文字を用いた広告類を提供することができる。
【００１３】
また、なかなかその変化の種が見つけにくく、屋号や店名、会社名類からなる看板ないし文字表示として、長期間にわたって見る者の興味が損なわれにくい錯視立体文字を用いた広告類を提供することが可能となった。
【図面の簡単な説明】
【００１４】
【図１】この発明の錯視立体文字を店名表示の看板に適用した実施例を示す正面図である。
【図２】その平面図である。
【図３】その中央横断面図である。
【図４】その左側面図である。
【図５】その中央縦断面図である。
【図６】その斜視図である。
【図７】（ａ）はこの実施例の錯視立体文字を正面中央から見た状態を示す正面図、（ｂ）はその平面図である。
【図８】（ａ）は左側から見た状態を示す正面図、（ｂ）はその平面図である。
【図９】（ａ）は右側から見た状態を示す正面図、（ｂ）はその平面図である。
【図１０】（ａ）は錯視立体文字の１つを正面から見た状態を示す正面図、（ｂ）はその平面図である。
【図１１】（ａ）は左側から見た状態を示す正面図、（ｂ）はその平面図である。
【図１２】（ａ）は右側から見た状態を示す正面図、（ｂ）はその平面図である。
【図１３】色味によって遠近感を出した場合の正面図である。
【図１４】（ａ）はこの発明の錯視立体文字の他の実施例を正面中央から見た状態を示す正面図、（ｂ）はその平面図である。
【図１５】（ａ）は左側から見た状態を示す正面図、（ｂ）はその平面図である。
【図１６】（ａ）は右側から見た状態を示す正面図、（ｂ）はその平面図である。
【図１７】色味によって遠近感を出した場合の正面図である。
【図１８】立体文字の背後に、該立体文字と連動する背景を表示した場合の正面図である。
【発明を実施するための形態】
【００１５】
以下、この発明の錯視立体文字を店名表示の看板に適用した場合を例にとって、図面に基いて詳細に説明する。もちろん、前記錯視立体文字において、前記凹凸を形成された３次元の立体文字は、屋号や店名、会社名類からなる看板ないし文字表示として幅広く適用するものである。
図１はこの発明の錯視立体文字を店名表示の看板に適用した実施例を示す正面図、図２はその平面図、図３はその中央横断面図、図４はその左側面図、図５はその中央縦面図、図６はその斜視図である。
【００１６】
図１ないし図６において、１１は凹凸を形成された３次元の立体文字である。図において立体文字１１は、ローマ字、カナ、漢字その他の文字からなる言語を凸凹を形成された３次元の立体文字としてある。そして、前記凹凸を形成された３次元の立体文字１１は、望ましくはＶ字状構造体１１ａに描かれており、かつ１文字ずつあるいは２文字以上を１単位として表示されるようにしてある。
なお、前記Ｖ字状構造体１１ａとしては、木材やプラスチック板、金属板等からなる平板をＶ字状に屈曲させたものや、厚みのある前記各部材にＶ字状のカットを施したもの、プラスチック素材を各種の成形方法によってＶ字状構造に形成したもの等が挙げられる。
図では平板をＶ字状に屈曲させたＶ字状構造体１１ａを示し、その背面にはＶ字状構造体１１ａの前面からは見えない位置に支持脚１２を取り付け、この支持脚１２を介して壁面その他の支持台１３に装着している。
【００１７】
前記凹凸を形成された３次元の立体文字１１は、前記Ｖ字状構造体１１ａ上の凸凹のそれぞれ出っ張り部分１１ｂ、１１ｃには陰影をつけ、あるいは遠近線を遠くに見えるように描き、凹みの部分１１ｄは明るく、あるいは遠近線を近くに見えるように描き、あるいは内面の照明により凹みの部分１１ｄは明るくして出っ張り部分１１ｂ、１１ｃを暗くすることより、立体構造を奥行反転を利用して正確に把握し難い物体になるようにしてある。
図では、両側の出っ張り部分１１ｂ、１１ｃに向かって徐々に暗くなるように描き、中央の凹みの部分１１ｄが明るくなるよう描くことにより、中央の凹みの部分１１ｄが近くに見えるようになり、両側の出っ張り部分１１ｂが遠くに見えるようになっている。
【００１８】
図１３は以上のような錯視効果を出すための他の方法を示しており、凹凸を形成された３次元の立体文字３１はその両側の出っ張り部分３１ｂ、３１ｃに向かって徐々に彩度が低下するよう描き、中央の凹みの部分３１ｄが彩度が最も高くなるよう描くことにより、中央の凹みの部分３１ｄが近くに見えるようになり、両側の出っ張り部分３１ｂ、３１ｃが遠くに見えるようになっている。
【００１９】
図７ないし図９は凹凸を形成された３次元の立体文字１１が見る位置によってどのように見えるかを説明するためのものである。
まず、図７の正面から見た状態において立体文字１１は、両側の出っ張り部分１１ｂ、１１ｃの中間のやや左寄りの位置に凹みの部分１１ｄが配置されている。
次に、図８の左方向から見た状態において立体文字１１は、左側の出っ張り部分１１ｂから中間の凹みの部分１１ｄまでの距離が短くなり、右側の出っ張り部分１１ｃから中間の凹みの部分１１ｄまでの距離が長くなったように見える。
さらに、図９の右方向から見た状態において立体文字１１は、左側の出っ張り部分１１ｂから中間の凹みの部分１１ｄまでの距離が長くなり、右側の出っ張り部分１１ｃから中間の凹みの部分１１ｄまでの距離が短くなったように見える。
ところが、通常の立体的な浮出し文字の場合は、左方向から見た状態においては左側の面がより長く、右側の面がより短く見えるはずである。また、右方向から見た状態においては左側の面がより短く、右側の面がより長く見えるはずであり、前述のような見え方は不自然で、立体文字の立体感が通常には見られないような変化を有するものとなっている。
【００２０】
図１０ないし図１２は単一の立体文字２１を用いて、前記立体文字２１が見る位置によってどのように見えるかをより具体的に説明するためのものである。
まず、図１０の正面から見た状態において立体文字２１は、両側の出っ張り部分２１ｂ、２１ｃの中間のやや左寄りの位置に凹みの部分２１ｄが配置されている。
次に、図１１の左方向から見た状態において立体文字２１は、左側の出っ張り部分２１ｂから中間の凹みの部分２１ｄまでの縦の棒の幅ｈ１が短くなり、右側の出っ張り部分２１ｃから中間の凹みの部分２１ｄまでのＢの文字部分の幅ｈ２が長くなったように見える。
さらに、図１２の右方向から見た状態において立体文字２１は、左側の出っ張り部分２１ｂから中間の凹みの部分２１ｄまでの縦の棒の幅ｈ１が長くなり、右側の出っ張り部分２１ｃから中間の凹みの部分２１ｄまでのＢの文字部分の幅ｈ２が短くなったように見える。
ところが、通常の立体的な浮出し文字の場合は、これとは見え方が逆に見えるはずであり、前述のような見え方は不自然で、立体文字の立体感が通常には見られないような変化を有するものとなっている。
【００２１】
図１４ないし図１７はこの発明の錯視立体文字として漢字に適用した実施例を示すものであり、凹凸を形成された３次元の立体文字（漢字）４１が見る位置によってどのように見えるかを説明するためのものである。
まず、図１４の正面から見た状態において立体文字（漢字）４１は、両側の出っ張り部分４１ｂ、４１ｃの中間のやや左寄りの位置に凹みの部分（破線）４１ｄが配置されている。
次に、図１５の左方向から見た状態において立体文字（漢字）４１は、左側の出っ張り部分４１ｂから中間の凹みの部分（破線）４１ｄまでの距離が短くなり、右側の出っ張り部分４１ｃから中間の凹みの部分（破線）４１ｄまでの距離が長くなったように見える。
さらに、図１６の右方向から見た状態において立体文字（漢字）４１は、左側の出っ張り部分４１ｂから中間の凹みの部分（破線）４１ｄまでの距離が長くなり、右側の出っ張り部分４１ｃから中間の凹みの部分（破線）４１ｄまでの距離が短くなったように見える。
ところが、通常の立体的な浮出し文字（漢字）の場合は、左方向から見た状態においては左側の面がより長く、右側の面がより短く見えるはずである。また、右方向から見た状態においては左側の面がより短く、右側の面がより長く見えるはずであり、前述のような見え方は不自然で、立体文字（漢字）の立体感が通常には見られないような変化を有するものとなっている。
【００２２】
図１７は以上のような錯視効果を出すための他の方法を示しており、凹凸を形成された３次元の立体文字（漢字）５１はその両側の出っ張り部分５１ｂ、５１ｃに向かって徐々に彩度が低下するよう描き、中央の凹みの部分（破線）５１ｄが彩度が最も高くなるよう描くことにより、中央の凹みの部分（破線）５１ｄが近くに見えるようになり、両側の出っ張り部分５１ｂ、５１ｃが遠くに見えるようになっている。
【００２３】
図１８はこの発明の錯視立体文字において、凹凸を形成された３次元の立体文字６１が、背景ＢＧの上に配置されたＶ字状構造体６１ａに描かれており、背景ＢＧと一体化して表示されるようにした例を示したものである。
図では、前記背景ＢＧとして横長の八角形の支持台６３内に、ほぼ楕円形の波線からなる図形６４が描かれている。もちろん拝啓ＢＧはこのような図形に何ら限定されるものではない。
【００２４】
以上の各実施例の錯視立体文字を具現化した錯視立体文字を用いた広告類は、見る角度によってその立体感はさまざまに変化していく。その結果、見る者の動きによって、あたかも立体文字１１，３１，５１の錯視立体文字そのものが、動いているような錯覚が得られるのである。
上記立体文字１１，３１，５１の構造はあくまでもその一例に過ぎない。したがって、凹凸の形態もＶ字状のみならず、波形やその他の凹凸で表現される立体形状であってもよい。要は、凹凸にそれぞれでっぱり部分には陰影をつけて、あるいは遠近線を遠くに見えるように描き、へこみの部分は明るくして、あるいは遠近線を近くに見えるように描くことにより、見る角度によって立体文字が立体感をさまざまに変化させるようになればよいのである。
【産業上の利用可能性】
【００２５】
この発明によれば、凹凸を形成された３次元の立体文字を備え、当該凹凸にそれぞれでっぱり部分には陰影をつけて、あるいは遠近線を遠くに見えるように描き、へこみの部分は明るくして、あるいは遠近線を近くに見えるように描くことにより、見る角度によって立体文字が立体感をさまざまに変化させるようにした錯視立体文字を用いた広告類を提供することが可能となった。
【００２６】
また、なかなか錯視の種が見つけにくく、広告や宣伝用の看板ないし文字表示として、長期間にわたって見る者の興味が損なわれにくい錯視立体文字を用いた広告類を提供することが可能となった。
【符号の説明】
【００２７】
１１  立体文字
１１ａ  Ｖ字状構造体
１１ｂ、１１ｃ  出っ張り部分
１１ｄ  凹み部分
１２  支持脚
１３  支持台
２１  単一の立体文字
２１ａ  Ｖ字状構造体
２１ｂ、２１ｃ  出っ張り部分
２１ｄ  凹み部分
３１  立体文字
３１ａ  Ｖ字状構造体
３１ｂ、３１ｃ  出っ張り部分
３１ｄ  凹み部分
４１  立体文字（漢字）
４１ｂ、４１ｃ  出っ張り部分
４１ｄ  凹み部分（破線）
５１  立体文字（漢字）
５１ｂ、５１ｃ  出っ張り部分
５１ｄ  凹み部分（破線）
６１  立体文字
６１ａ  Ｖ字状構造体
６３  支持台
６４  図形
ｈ１、ｈ２  幅
ＢＧ  背景
【図１】
2014081550.tif 000003
【図２】
2014081550.tif 000004
【図３】
2014081550.tif 000005
【図４】
2014081550.tif 000006
【図５】
2014081550.tif 000007
【図６】
2014081550.tif 000008
【図７】
2014081550.tif 000009
【図８】
2014081550.tif 000010
【図９】
2014081550.tif 000011
【図１０】
2014081550.tif 000012
【図１１】
2014081550.tif 000013
【図１２】
2014081550.tif 000014
【図１３】
2014081550.tif 000015
【図１４】
2014081550.tif 000016
【図１５】
2014081550.tif 000017
【図１６】
2014081550.tif 000018
【図１７】
2014081550.tif 000019
【図１８】
2014081550.tif 000020